(57)【特許請求の範囲】
【請求項１】
第１伝送路と第２伝送路とにより接続され、前記第１および第２伝送路を切り替えていずれかの伝送路により通信する波長多重光送受信装置であって、
光送受信器と、
前記第１および第２伝送路に接続された入出力ポート、前記光送受信器に接続された入出力ポートを有し、前記第１および第２伝送路において送受信している入出力に対して、温度を変化させることにより前記第１および第２伝送路を切り替えて、前記第１および第２伝送路において送受信している入出力を前記光送受信器に送受信するアレイ導波路格子フィルタと、
前記光送受信器における光受信レベルを監視し、前記光受信レベルが予め設定している所定値を下回ると、前記第１伝送路において入出力を送受信する温度から前記第２伝送路において入出力を送受信する温度へ前記アレイ導波路格子フィルタの温度を変化させる手段と
を備えたことを特徴とする波長多重光送受信装置。
【請求項２】
第１伝送路と第２伝送路とにより接続され、前記第１および第２伝送路を切り替えていずれかの伝送路により通信している第１装置および第２装置を含む波長多重光ネットワークであって、
光送受信器と、
前記第１および第２伝送路に接続された入出力ポート、前記光送受信器に接続された入出力ポートを有し、前記第１および第２伝送路において送受信している入出力に対して、温度を変化させることにより前記第１および第２伝送路を切り替えて、前記第１および第２伝送路において送受信している入出力を前記光送受信器に送受信するアレイ導波路格子フィルタと、
前記光送受信器における前記第２装置からの光受信レベルを監視し、前記光受信レベルが予め設定している所定値を下回ると、前記第１伝送路において入出力を送受信する温度から前記第２伝送路において入出力を送受信する温度へ前記アレイ導波路格子フィルタの温度を変化させる手段と
を備える第１装置と、
光送受信器と、
前記第１および第２伝送路に接続された入出力ポート、前記第２装置の光送受信器に接続された入出力ポートを有し、前記第１および第２伝送路において送受信している入出力に対して、温度を変化させることにより前記第１および第２伝送路を切り替えて、前記第１および第２伝送路において送受信している入出力を前記第２装置の光送受信器に送受信するアレイ導波路格子フィルタと、
前記第２装置の光送受信器における前記第１装置からの光受信レベルを監視し、前記光受信レベルが予め設定している所定値を下回ると、前記第１伝送路において入出力を送受信する温度から前記第２伝送路において入出力を送受信する温度へ前記アレイ導波路格子フィルタの温度を変化させる手段と
を備える第２装置と
を備えたことを特徴とする波長多重光ネットワーク。
【請求項３】
２本の現用光ファイバと２本の予備光ファイバとにより接続される波長多重光伝送装置であって、
送受信波長の異なるＮ個（Ｎは２以上の自然数）の光送受信器と、
光送受信器側にＮ個の入出力ポートおよび光ファイバ側に２個の入出力ポートを有し、第１温度の場合は現用光ファイバに接続された光ファイバ側の第１入出力ポートに、第２温度の場合は予備光ファイバに接続された光ファイバ側の第２入出力ポートに、前記光送受信器から送出される光信号を合波しかつ出力する第１アレイ導波路格子フィルタと、
前記第１アレイ導波路格子フィルタの温度を制御する第１温度制御回路と、
光送受信器側にＮ個の入出力ポートおよび光ファイバ側に２個の入出力ポートを有し、第１温度の場合は現用光ファイバに接続された光ファイバ側の第１入出力ポート、第２温度の場合は予備光ファイバに接続された光ファイバ側の第２入出力ポートからの波長多重光信号を分波しかつ前記Ｎ個の光送受信器へ入力する第２アレイ導波路格子フィルタと、
前記第２アレイ導波路格子フィルタの温度を制御する第２温度制御回路と、
前記光送受信器での光受信レベルを監視し、すべての光受信レベルが予め設定している所定値を下回ると、前記第１および第２温度制御回路に前記第１および第２アレイ導波路格子フィルタの温度を第１温度から第２温度に変更させる監視制御回路と
を備えたことを特徴とする波長多重光伝送装置。
【請求項４】
１本の現用光ファイバと１本の予備光ファイバとにより接続される波長多重光伝送装置であって、
送信波長と受信波長との異なるＮ個（Ｎは２以上の自然数）の光送受信器と、
光送受信器側に２Ｎ個の入出力ポートおよび光ファイバ側に２個の入出力ポートを有し、前記Ｎ個の光送受信器の入力および出力に各々接続され、第１温度の場合は現用光ファイバに接続された光ファイバ側の第１入出力ポートに、第２温度の場合は予備光ファイバに接続された光ファイバ側の第２入出力ポートに、前記光送受信器から送出される光信号を合波しかつ出力する、または波長多重光信号を分波しかつ前記光送受信器へ入力するアレイ導波路格子フィルタと、
前記アレイ導波路格子フィルタの温度を制御する温度制御回路と、
前記光送受信器での光受信レベルを監視し、すべての光受信レベルが予め設定している所定値を下回ると、前記温度制御回路に前記アレイ導波路格子フィルタの温度を第１温度から第２温度に変更させる監視制御回路と
を備えたことを特徴とする波長多重光伝送装置。
【請求項５】
第１収容局装置と、２本の現用光ファイバおよび２本の予備光ファイバにより第１収容局装置に接続される第２収容局装置と、前記第１収容局と接続されるＮ（Ｎは２以上の自然数）のユーザ装置とを有する波長多重光ネットワークであって、
ユーザ装置側にＮ個の入出力ポートおよび光ファイバ側に２個の入出力ポートを有し、第１温度の場合は現用光ファイバに接続された光ファイバ側の第１入出力ポートに、第２温度の場合は予備光ファイバに接続された光ファイバ側の第２入出力ポートに、前記ユーザ装置から送出される光信号を合波しかつ出力する第１アレイ導波路格子フィルタと、
前記第１アレイ導波路格子フィルタの温度を制御する第１温度制御回路と、
ユーザ装置側にＮ個の入出力ポートおよび光ファイバ側に２個の入出力ポートを有し、第１温度の場合は現用光ファイバに接続された光ファイバ側の第１入出力ポート、第２温度の場合は予備光ファイバに接続された光ファイバ側の第２入出力ポートからの波長多重光信号を分波しかつ前記Ｎのユーザ装置へ入力する第２アレイ導波路格子フィルタと、
前記第２アレイ導波路格子フィルタの温度を制御する第２温度制御回路と、
前記第２収容局装置により送出された波長多重光信号の一部を前記現用光ファイバから分岐する光カプラと、
前記分岐された波長多重光信号の光受信レベルを検出する受光器と、
前記受光器での光受信レベルを監視し、光受信レベルが予め設定している所定値を下回ると、前記第１および第２温度制御回路に前記第１および第２アレイ導波路格子フィルタの温度を第１温度から第２温度に変更させる監視制御回路と
を備える第１収容局装置と、
送受信波長の異なるＮ個の光送受信器と、
光送受信器側にＮ個の入出力ポートおよび光ファイバ側に２個の入出力ポートを有し、第１温度の場合は現用光ファイバに接続された光ファイバ側の第１入出力ポートに、第２温度の場合は予備光ファイバに接続された光ファイバ側の第２入出力ポートに、前記光送受信器から送出される光信号を合波しかつ出力する第３アレイ導波路格子フィルタと、
前記第３アレイ導波路格子フィルタの温度を制御する第３温度制御回路と、
光送受信器側にＮ個の入出力ポートおよび光ファイバ側に２個の入出力ポートを有し、前記第１温度の場合は現用光ファイバに接続された光ファイバ側の第１入出力ポート、前記第２温度の場合は予備光ファイバに接続された光ファイバ側の第２入出力ポートからの波長多重光信号を分波しかつ前記Ｎ個の光送受信器へ入力する第４アレイ導波路格子フィルタと、
前記第４アレイ導波路格子フィルタの温度を制御する第４温度制御回路と、
前記光送受信器での光受信レベルを監視し、すべての光受信レベルが予め設定している所定値を下回ると、前記第３および第４温度制御回路に前記第３および第４アレイ導波路格子フィルタの温度を第１温度から第２温度に変更させる監視制御回路と
を備える第２収容局装置と
を備えたことを特徴とする波長多重光ネットワーク。
【請求項６】
第１収容局装置と、１本の現用光ファイバおよび１本の予備光ファイバにより第１収容局装置に接続される第２収容局装置と、前記第１収容局と接続されるＮ（Ｎは２以上の自然数）のユーザ装置とを有する波長多重光ネットワークであって、
ユーザ装置側に２Ｎ個の入出力ポートおよび光ファイバ側に２個の入出力ポートを有し、前記Ｎのユーザ装置の入力および出力に各々接続され、第１温度の場合は現用光ファイバに接続された光ファイバ側の第１入出力ポートに、第２温度の場合は予備光ファイバに接続された光ファイバ側の第２入出力ポートに、前記ユーザ装置から送出される光信号を合波しかつ出力する、または波長多重光信号を分波しかつ前記光送受信器へ入力する第１アレイ導波路格子フィルタと、
前記第１アレイ導波路格子フィルタの温度を制御する第１温度制御回路と、
前記第２収容局装置により送出された波長多重光信号の一部を前記現用光ファイバから分岐する光カプラと、
前記分岐された波長多重光信号の光受信レベルを検出する受光器と、
前記受光器での光受信レベルを監視し、前記分岐された波長多重光信号に対して光受信レベルが予め設定している所定値を下回ると、前記第１温度制御回路に前記第１アレイ導波路格子フィルタの温度を第１温度から第２温度に変更させる監視制御回路と
を備える第１収容局装置と、
送受信波長の異なるＮ個の光送受信器と、
光送受信器側に２Ｎ個の入出力ポートおよび光ファイバ側に２個の入出力ポートを有し、前記Ｎ個の光送受信器の入力および出力に各々接続され、第１温度の場合は現用光ファイバに接続された光ファイバ側の第１入出力ポートに、第２温度の場合は予備光ファイバに接続された光ファイバ側の第２入出力ポートに、前記光送受信器から送出される光信号を合波しかつ出力する、または波長多重光信号を分波しかつ前記光送受信器へ入力する第２アレイ導波路格子フィルタと、
前記第２アレイ導波路格子フィルタの温度を制御する第２温度制御回路と、
前記光送受信器での光受信レベルを監視し、すべての光受信レベルが予め設定している所定値を下回ると、前記第２温度制御回路に前記第２アレイ導波路格子フィルタの温度を第１温度から第２温度に変更させる監視制御回路と
を備える第２収容局装置と
を備えたことを特徴とする波長多重光ネットワーク。
【発明の詳細な説明】
【技術分野】
【０００１】
本発明は、波長多重光送受信装置およびそれを用いたネットワークに関し、より詳細には、波長多重光通信における、伝送路の二重化を実現する光送受信装置およびそれを用いたネットワーク構成に関する。
【背景技術】
【０００２】
従来、波長多重光通信ネットワークにおいて、通信の信頼性を向上させる方法として、装置および光ファイバ伝送路を二重化する方法が知られている。図１は、装置および光ファイバ伝送路の二重化の例を示す図である。現用装置と、現用装置と同一の構成である予備装置とを具備し、現用装置を現用光ファイバで、予備装置を予備光ファイバで接続する構成である。
【０００３】
波長多重光通信ネットワークにおける第１の装置である装置Ａ  １０１と、第２の装置である装置Ｂ  １０２とが、現用光ファイバ１０３および予備光ファイバ１０４により接続されている。装置Ａ  １０１は、現用光ファイバ１０３に接続され、光信号を多重分離する現用装置１０５と、予備光ファイバ１０４に接続され、現用装置１０５と同一の構成である予備装置１０６と、現用装置１０５および予備装置１０６に接続され、現用装置１０５および予備装置１０６を監視する監視制御回路１０７とを含む。
【０００４】
現用装置１０５は、現用光ファイバ１０３に接続された光波長フィルタ１０８と、光波長フィルタ１０８の入出力ポートおよび監視制御回路１０７に接続され、光信号を送受信するＮ個の光送受信器１  １０９ないし光送受信器Ｎ  １１０と、光波長フィルタ１０８に接続され、光波長フィルタ１０８の温度を安定化させる温度制御回路１１１とを含む。同様にして、予備装置１０６も、光波長フィルタ１１２と、Ｎ個の光送受信器１  １１３ないし光送受信器Ｎ  １１４と、温度制御回路１１５とを含む。ただし、Ｎは２以上の自然数とする。
【０００５】
装置Ｂ  １０２は、装置Ａ  １０１と同様に、現用装置１１６と、予備装置１１７と、監視制御回路１１８とを含む。現用装置１１６は、現用装置１０５と同様に、Ｎ個の光送受信器１  １１９ないし光送受信器Ｎ  １２０と、光波長フィルタ１２１と、温度制御回路１２２とを含む。予備装置１１７は、現用装置１１６と同様に、Ｎ個の光送受信器１  １２３ないし光送受信器Ｎ  １２４と、光波長フィルタ１２５と、温度制御回路１２６とを含む。ただし、Ｎは２以上の自然数とする。
【０００６】
監視制御回路１０７により、現用装置１０５内の光送受信器１  １０９ないし光送受信器Ｎ  １１０での光受信パワーをモニタし、すべての光送受信器１  １０９ないし光送受信器Ｎ  １１０の光受信パワーが所定値を下回ると、現用光ファイバ１０３の光ファイバ断と判断して、予備装置１０６へと切り替える。
【０００７】
さらに、波長多重光通信ネットワークにおいて、通信の信頼性を向上させる方法として、経済性の観点から光ファイバ伝送路のみを二重化する方法が知られている（例えば、特許文献１参照。）。図２は、光ファイバ伝送路のみを二重化した例を示す図である。送信側に光カプラを、受信側に光スイッチを配置している。波長多重光通信ネットワークにおける第１の装置である装置Ａ  ２０１と、第２の装置である装置Ｂ  ２０２とが、現用光ファイバ２０３および２０５と、予備光ファイバ２０４および２０６とにより接続されている。
【０００８】
装置Ａ  ２０１は、光信号を送受信するＮ個の光送受信器１  ２１１ないし光送受信器Ｎ  ２１２と、光送受信器１  ２１１ないし光送受信器Ｎ  ２１２の各々の出力ポートに接続され、光信号を合波する波長合分波器２０８と、波長合分波器２０８の出力ポート４に接続され、現用光ファイバ２０３および予備光ファイバ２０４に接続され、光信号を分波する光カプラ２０７とを備える。
【０００９】
装置Ａ  ２０１は、現用光ファイバ２０５および予備光ファイバ２０６に接続され、光信号を切り替える１×２光スイッチ２０９と、１×２光スイッチ２０９の出力ポートに接続され、光送受信器１  ２１１ないし光送受信器Ｎ  ２１２の各々の入力ポートに接続され、光信号を分波する波長合分波器２１０と、１×２光スイッチ２０９ならびに光送受信器１  ２１１ないし光送受信器Ｎ  ２１２に接続され、１×２光スイッチ２０９を切り替える監視制御回路２１３と、波長合分波器２０８に接続され、波長合分波器２０８の温度を安定化させる温度制御回路２１４と、波長合分波器２１０に接続され、波長合分波器２１０の温度を安定化させる温度制御回路２１５とを含む。ただし、Ｎは２以上の自然数とする。
【００１０】
装置Ｂ  ２０２は、装置Ａ  ２０１と同様に、監視制御回路２１６と、Ｎ個の光送受信器１  ２１７ないし光送受信器Ｎ  ２１８と、波長合分波器２１９および２２１と、１×２光スイッチ２２０と、光カプラ２２２と、温度制御回路２２３および２２４とを含む。ただし、Ｎは２以上の自然数とする。
【００１１】
光送受信器２１１ないし光送受信器Ｎ  ２１２から送出された光信号は、波長合分波器２０８により合波された後、光カプラ２０７により現用光ファイバ２０３および予備光ファイバ２０４の両方に送出される。監視制御回路２１３により、装置Ａ内の光送受信器２１１ないし光送受信器Ｎ  ２１２での光受信パワーをモニタし、すべての光送受信器２１１ないし光送受信器Ｎ  ２１２の光受信パワーが所定値を下回ると、現用光ファイバ２０５の光ファイバ断と判断して、受信側の光スイッチ２０９を切り替え、予備光ファイバ２０６を選択する。
【００１２】
【特許文献１】特開２００３−３３８７８８号公報（第６〜７頁、第３図）
【発明の開示】
【発明が解決しようとする課題】
【００１３】
しかしながら、図１のような構成では、光ファイバ伝送路だけでなく、装置も二重化されており、信頼性に優れた構成となっているが、光ファイバ伝送路だけを二重化したい場合にも、予備装置が必要になるという問題があった。
【００１４】
図２のような構成では、光ファイバ伝送路だけを二重化することができるが、光カプラと光スイッチとを挿入しなければならず、光受信パワーの損失が増加するため、対向装置間での許容損失値が減少するという問題もあった。
【００１５】
本発明は、このような問題に鑑みてなされたもので、その目的とするところは、光部品を挿入することなく、経済的に伝送路の二重化を実現するための、波長多重光送受信装置およびそれを用いたネットワークを提供することにある。
【課題を解決するための手段】
【００１６】
本発明は、このような目的を達成するために、請求項１に記載の発明は、第１伝送路と第２伝送路とにより接続され、第１および第２伝送路を切り替えていずれかの伝送路により通信する波長多重光送受信装置であって、光送受信器（３０９および３１０）と、第１および第２伝送路に接続された入出力ポート、光送受信器に接続された入出力ポートを有し、第１および第２伝送路において送受信している入出力に対して、温度を変化させることにより第１および第２伝送路を切り替えて、第１および第２伝送路において送受信している入出力を光送受信器に送受信するアレイ導波路格子フィルタ（３０７および３０８）と、光送受信器における光受信レベルを監視し、光受信レベルが予め設定している所定値を下回ると、第１伝送路において入出力を送受信する温度から第２伝送路において入出力を送受信する温度へアレイ導波路格子フィルタの温度を変化させる手段（３１１ないし３１３）とを備えたことを特徴とする。
【００１７】
この構成によれば、光部品を挿入することなく、経済的に伝送路の二重化を実現する波長多重光送受信装置を提供することが可能となる。
【００１８】
請求項２に記載の発明は、第１伝送路と第２伝送路とにより接続され、第１および第２伝送路を切り替えていずれかの伝送路により通信している第１装置および第２装置を含む波長多重光ネットワークであって、光送受信器（３０９および３１０）と、第１および第２伝送路に接続された入出力ポート、光送受信器に接続された入出力ポートを有し、第１および第２伝送路において送受信している入出力に対して、温度を変化させることにより第１および第２伝送路を切り替えて、第１および第２伝送路において送受信している入出力を光送受信器に送受信するアレイ導波路格子フィルタと（３０７および３０８）、光送受信器における第２装置からの光受信レベルを監視し、光受信レベルが予め設定している所定値を下回ると、第１伝送路において入出力を送受信する温度から第２伝送路において入出力を送受信する温度へアレイ導波路格子フィルタの温度を変化させる手段（３１１ないし３１３）とを備える第１装置と、光送受信器（３１５および３１６）と、第１および第２伝送路に接続された入出力ポート、第２装置の光送受信器に接続された入出力ポートを有し、第１および第２伝送路において送受信している入出力に対して、温度を変化させることにより第１および第２伝送路を切り替えて、第１および第２伝送路において送受信している入出力を第２装置の光送受信器に送受信するアレイ導波路格子フィルタ（３１７および３１８）と、第２装置の光送受信器における第１装置からの光受信レベルを監視し、光受信レベルが予め設定している所定値を下回ると、第１伝送路において入出力を送受信する温度から第２伝送路において入出力を送受信する温度へアレイ導波路格子フィルタの温度を変化させる手段（３１４、３１９および３２０）とを備える第２装置とを備えたことを特徴とする。
【００１９】
この構成によれば、光部品を挿入することなく、経済的に伝送路の二重化を実現する波長多重光ネットワークを提供することが可能となる。
【００２０】
請求項３に記載の発明は、２本の現用光ファイバと２本の予備光ファイバとにより接続される波長多重光伝送装置であって、送受信波長の異なるＮ個（Ｎは２以上の自然数）の光送受信器と、光送受信器側にＮ個の入出力ポートおよび光ファイバ側に２個の入出力ポートを有し、第１温度の場合は現用光ファイバに接続された光ファイバ側の第１入出力ポートに、第２温度の場合は予備光ファイバに接続された光ファイバ側の第２入出力ポートに、光送受信器から送出される光信号を合波しかつ出力する第１アレイ導波路格子フィルタと、第１アレイ導波路格子フィルタの温度を制御する第１温度制御回路と、光送受信器側にＮ個の入出力ポートおよび光ファイバ側に２個の入出力ポートを有し、第１温度の場合は現用光ファイバに接続された光ファイバ側の第１入出力ポート、第２温度の場合は予備光ファイバに接続された光ファイバ側の第２入出力ポートからの波長多重光信号を分波しかつＮ個の光送受信器へ入力する第２アレイ導波路格子フィルタと、第２アレイ導波路格子フィルタの温度を制御する第２温度制御回路と、光送受信器での光受信レベルを監視し、すべての光受信レベルが予め設定している所定値を下回ると、第１および第２温度制御回路に第１および第２アレイ導波路格子フィルタの温度を第１温度から第２温度に変更させる監視制御回路とを備えたことを特徴とする。
【００２１】
この構成によれば、２本の現用光ファイバと２本の予備光ファイバとにより接続される波長多重光送受信装置に対して、光部品を挿入することなく、経済的に伝送路の二重化を実現することが可能となる。
【００２２】
請求項４に記載の発明は、１本の現用光ファイバと１本の予備光ファイバとにより接続される波長多重光伝送装置であって、送信波長と受信波長との異なるＮ個（Ｎは２以上の自然数）の光送受信器と、光送受信器側に２Ｎ個の入出力ポートおよび光ファイバ側に２個の入出力ポートを有し、Ｎ個の光送受信器の入力および出力に各々接続され、第１温度の場合は現用光ファイバに接続された光ファイバ側の第１入出力ポートに、第２温度の場合は予備光ファイバに接続された光ファイバ側の第２入出力ポートに、光送受信器から送出される光信号を合波しかつ出力する、または波長多重光信号を分波しかつ光送受信器へ入力するアレイ導波路格子フィルタと、アレイ導波路格子フィルタの温度を制御する温度制御回路と、光送受信器での光受信レベルを監視し、すべての光受信レベルが予め設定している所定値を下回ると、温度制御回路にアレイ導波路格子フィルタの温度を第１温度から第２温度に変更させる監視制御回路とを備えたことを特徴とする。
【００２３】
この構成によれば、１本の現用光ファイバと１本の予備光ファイバとにより接続される波長多重光送受信装置に対して、光部品を挿入することなく、経済的に伝送路の二重化を実現することが可能となる。
【００２４】
請求項５に記載の発明は、第１収容局装置と、２本の現用光ファイバおよび２本の予備光ファイバにより第１収容局装置に接続される第２収容局装置と、第１収容局と接続されるＮ（Ｎは２以上の自然数）のユーザ装置とを有する波長多重光ネットワークであって、ユーザ装置側にＮ個の入出力ポートおよび光ファイバ側に２個の入出力ポートを有し、第１温度の場合は現用光ファイバに接続された光ファイバ側の第１入出力ポートに、第２温度の場合は予備光ファイバに接続された光ファイバ側の第２入出力ポートに、ユーザ装置から送出される光信号を合波しかつ出力する第１アレイ導波路格子フィルタと、第１アレイ導波路格子フィルタの温度を制御する第１温度制御回路と、ユーザ装置側にＮ個の入出力ポートおよび光ファイバ側に２個の入出力ポートを有し、第１温度の場合は現用光ファイバに接続された光ファイバ側の第１入出力ポート、第２温度の場合は予備光ファイバに接続された光ファイバ側の第２入出力ポートからの波長多重光信号を分波しかつＮのユーザ装置へ入力する第２アレイ導波路格子フィルタと、第２アレイ導波路格子フィルタの温度を制御する第２温度制御回路と、第２収容局装置により送出された波長多重光信号の一部を現用光ファイバから分岐する光カプラと、分岐された波長多重光信号の光受信レベルを検出する受光器と、受光器での光受信レベルを監視し、光受信レベルが予め設定している所定値を下回ると、第１および第２温度制御回路に第１および第２アレイ導波路格子フィルタの温度を第１温度から第２温度に変更させる監視制御回路とを備える第１収容局装置と、送受信波長の異なるＮ個の光送受信器と、光送受信器側にＮ個の入出力ポートおよび光ファイバ側に２個の入出力ポートを有し、第１温度の場合は現用光ファイバに接続された光ファイバ側の第１入出力ポートに、第２温度の場合は予備光ファイバに接続された光ファイバ側の第２入出力ポートに、光送受信器から送出される光信号を合波しかつ出力する第３アレイ導波路格子フィルタと、第３アレイ導波路格子フィルタの温度を制御する第３温度制御回路と、光送受信器側にＮ個の入出力ポートおよび光ファイバ側に２個の入出力ポートを有し、第１温度の場合は現用光ファイバに接続された光ファイバ側の第１入出力ポート、第２温度の場合は予備光ファイバに接続された光ファイバ側の第２入出力ポートからの波長多重光信号を分波しかつＮ個の光送受信器へ入力する第４アレイ導波路格子フィルタと、第４アレイ導波路格子フィルタの温度を制御する第４温度制御回路と、光送受信器での光受信レベルを監視し、すべての光受信レベルが予め設定している所定値を下回ると、第３および第４温度制御回路に第３および第４アレイ導波路格子フィルタの温度を第１温度から第２温度に変更させる監視制御回路とを備える第２収容局装置とを備えたことを特徴とする。
【００２５】
この構成によれば、２本の現用光ファイバと２本の予備光ファイバとにより接続される波長多重光ネットワークに対して、光部品を挿入することなく、経済的に伝送路の二重化を実現することが可能となる。
【００２６】
請求項６に記載の発明は、第１収容局装置と、１本の現用光ファイバおよび１本の予備光ファイバにより第１収容局装置に接続される第２収容局装置と、第１収容局と接続されるＮ（Ｎは２以上の自然数）のユーザ装置とを有する波長多重光ネットワークであって、ユーザ装置側に２Ｎ個の入出力ポートおよび光ファイバ側に２個の入出力ポートを有し、Ｎのユーザ装置の入力および出力に各々接続され、第１温度の場合は現用光ファイバに接続された光ファイバ側の第１入出力ポートに、第２温度の場合は予備光ファイバに接続された光ファイバ側の第２入出力ポートに、ユーザ装置から送出される光信号を合波しかつ出力する、または波長多重光信号を分波しかつ光送受信器へ入力する第１アレイ導波路格子フィルタと、第１アレイ導波路格子フィルタの温度を制御する第１温度制御回路と、第２収容局装置により送出された波長多重光信号の一部を現用光ファイバから分岐する光カプラと、分岐された波長多重光信号の光受信レベルを検出する受光器と、受光器での光受信レベルを監視し、分岐された波長多重光信号に対して光受信レベルが予め設定している所定値を下回ると、第１温度制御回路に第１アレイ導波路格子フィルタの温度を第１温度から第２温度に変更させる監視制御回路とを備える第１収容局装置と、送受信波長の異なるＮ個の光送受信器と、光送受信器側に２Ｎ個の入出力ポートおよび光ファイバ側に２個の入出力ポートを有し、Ｎ個の光送受信器の入力および出力に各々接続され、第１温度の場合は現用光ファイバに接続された光ファイバ側の第１入出力ポートに、第２温度の場合は予備光ファイバに接続された光ファイバ側の第２入出力ポートに、光送受信器から送出される光信号を合波しかつ出力する、または波長多重光信号を分波しかつ光送受信器へ入力する第２アレイ導波路格子フィルタと、第２アレイ導波路格子フィルタの温度を制御する第２温度制御回路と、光送受信器での光受信レベルを監視し、すべての光受信レベルが予め設定している所定値を下回ると、第２温度制御回路に第２アレイ導波路格子フィルタの温度を第１温度から第２温度に変更させる監視制御回路とを備える第２収容局装置とを備えたことを特徴とする。
【００２７】
この構成によれば、１本の現用光ファイバと１本の予備光ファイバとにより接続される波長多重光ネットワークに対して、光部品を挿入することなく、経済的に伝送路の二重化を実現することが可能となる。
【発明の効果】
【００２８】
以上説明したように、本発明によれば、光送受信器と、第１伝送路および第２伝送路において送受信している入出力に対して、温度を変化させることにより第１伝送路および第２伝送路を切り替えるアレイ導波路格子フィルタと、光送受信器の光受信レベルを監視し、光受信レベルが予め設定している所定値を下回ると、アレイ導波路格子フィルタの温度を変化させる手段を備えたので、光部品を挿入することなく、経済的に伝送路の二重化を実現する波長多重光送受信装置を提供することが可能となる。
【００２９】
また、本発明によれば、光送受信器と、第１伝送路および第２伝送路において送受信している入出力に対して、温度を変化させることにより第１伝送路および第２伝送路を切り替えるアレイ導波路格子フィルタと、光送受信器における第２装置からの光受信レベルを監視し、光受信レベルが予め設定している所定値を下回ると、アレイ導波路格子フィルタの温度を変化させる手段とを備える第１装置と、光送受信器と、第１伝送路および第２伝送路において送受信している入出力に対して、温度を変化させることにより第１伝送路および第２伝送路を切り替えるアレイ導波路格子フィルタと、光送受信器における第１装置からの光受信レベルを監視し、光受信レベルが予め設定している所定値を下回ると、アレイ導波路格子フィルタの温度を変化させる手段とを備える第２装置とを備えたので、光部品を挿入することなく、経済的に伝送路の二重化を実現する波長多重光ネットワークを提供することが可能となる。
【発明を実施するための最良の形態】
【００３０】
以下、図面を参照しながら本発明の実施形態について詳細に説明する。
【００３１】
図３は、本発明の一実施形態にかかる波長多重光送受信装置およびそれを用いたネットワークを示す構成図である。図２における従来例との違いは、光カプラと光スイッチを用いず、波長合分波器として、温度制御により透過波長を変化させることができ、光ファイバ伝送路側に２個の入出力ポートと、光送受信器側にＮ個の入出力ポートを有し、光を多重分離する２×Ｎアレイ導波路格子（ＡＷＧ：Ａｒｒａｙｅｄ  Ｗａｖｅｇｕｉｄｅ  Ｇｒａｔｉｎｇ）フィルタを用いる点である。ただし、Ｎは２以上の自然数とする。
【００３２】
波長多重光通信ネットワークにおける第１の装置である装置Ａ  ３０１と、第２の装置である装置Ｂ  ３０２とが、現用光ファイバ３０３および３０５と、予備光ファイバ３０４および３０６とにより接続されている。
【００３３】
装置Ａ  ３０１は、光信号を送受信するＮ個の光送受信器１  ３０９ないし光送受信器Ｎ  ３１０と、光送受信器１  ３０９ないし光送受信器Ｎ  ３１０の出力ポートと光送受信器側のＮ個の入力ポートとを各々接続され、現用光ファイバ３０３および予備光ファイバ３０４に光ファイバ伝送路側の２個の出力ポートを接続され、光信号を合波する２×Ｎアレイ導波路格子フィルタ３０７とを備える。
【００３４】
装置Ａ  ３０１は、現用光ファイバ３０５および予備光ファイバ３０６に光ファイバ伝送路側の２個の入力ポートを接続され、光送受信器１  ３０９ないし光送受信器Ｎ  ３１０の入力ポートに光送受信器側のＮ個の出力ポートを各々接続され、光信号を分波する２×Ｎアレイ導波路格子フィルタ３０８と、２×Ｎアレイ導波路格子フィルタ３０７に接続され、２×Ｎアレイ導波路格子フィルタ３０７の温度を制御する温度制御回路３１２と、２×Ｎアレイ導波路格子フィルタ３０８に接続され、２×Ｎアレイ導波路格子フィルタ３０８の温度を制御する温度制御回路３１３と、光送受信器１  ３０９ないし光送受信器Ｎ  ３１０と温度制御回路３１２および３１３とに接続され、光送受信器１  ３０９ないし光送受信器Ｎ  ３１０での光受信パワーをモニタする監視制御回路３１１とを含む。ただし、Ｎは２以上の自然数とする。
【００３５】
ただし、２×Ｎアレイ導波路格子フィルタ３０７および２×Ｎアレイ導波路格子フィルタ３０８は、同一の構成であり、入力と出力とを入れ替えて用いることができる。
【００３６】
アレイ導波路格子フィルタにより、光部品を挿入することなく、経済的に伝送路の二重化を実現する波長多重光送受信装置を提供することができる。
【００３７】
装置Ｂ  ３０２は、装置Ａ  ３０１と同様に、監視制御回路３１４と、Ｎ個の光送受信器１  ３１５ないし光送受信器Ｎ  ３１６と、２×Ｎアレイ導波路格子フィルタ３１７および３１８と、温度制御回路３１９および３２０とを含む。ただし、Ｎは２以上の自然数とする。
【００３８】
このような構成により、２本の現用光ファイバと２本の予備光ファイバとにより接続される波長多重光送受信装置に対して、光部品を挿入することなく、経済的に伝送路の二重化を実現することが可能となる。
【００３９】
監視制御回路３１１により、図２における従来例と同様に、光送受信器１  ３０９ないし光送受信器Ｎ  ３１０での光受信パワーをモニタする。光受信パワーをモニタすることは、例えば、ＳＦＰ（Ｓｍａｌｌ  Ｆｏｒｍ  Ｆａｃｔｏｒ  Ｐｌｕｇｇａｂｌｅ）などの光トランシーバの場合には、ＬＯＳ（Ｌｏｓｓ  Ｏｆ  Ｓｉｇｎａｌ）を検出することに対応する。
【００４０】
監視制御回路３１１により、光送受信器１  ３０９ないし光送受信器Ｎ  ３１０での光受信パワーをモニタして、すべての光送受信器１  ３０９ないし光送受信器Ｎ  ３１０の光受信パワーが所定値を下回ると、現用光ファイバ３０５の光ファイバ断と判断して、装置Ａ  ３０１内の２×Ｎアレイ導波路格子フィルタ３０７および３０８の温度を変更して、屈折率変化により、予備光ファイバ３０６に接続された２×Ｎアレイ導波路格子フィルタ３０８の入出力ポートから波長多重光信号が出力される。詳細は、図４および図５を用いて後述する。
【００４１】
図４は、本発明の一実施形態にかかる現用光ファイバから予備光ファイバへの切替方法を示す図である。ステップ４０１では、監視制御回路３１１により、光受信パワーをモニタする（ＬＯＳモニタ）。ステップ４０２では、監視制御回路３１１により、すべての光送受信器１  ３０９ないし光送受信器Ｎ  ３１０の光送受信器において光受信パワーが所定値を下回るかを決定する。
【００４２】
ステップ４０２において、監視制御回路３１１により、すべての光送受信器１  ３０９ないし光送受信器Ｎ  ３１０の光送受信器において光受信パワーが所定値を下回る場合には、ステップ４０３に進む。ステップ４０３では、監視制御回路３１１により、現用光ファイバ３０５の光ファイバ断と判断し、温度制御回路３１２および３１３に、装置内の２つの２×Ｎアレイ導波路格子フィルタ３０７および３０８の温度をＴ１からＴ２に変更するように指示する。ステップ４０２において、監視制御回路３１１により、すべての光送受信器１  ３０９ないし光送受信器Ｎ  ３１０の中に、光受信パワーが所定値を下回っていない光送受信器がある場合には、ステップ４０１に戻る。
【００４３】
ステップ４０４では、温度制御回路３１２および３１３により、装置内の２つの２×Ｎアレイ導波路格子フィルタ３０７および３０８の温度をＴ１からＴ２に変更する。ステップ４０５では、予備光ファイバ３０４および３０６による通信を開始する。詳細は、図５を用いて後述する。
【００４４】
図５は、本発明の一実施形態にかかる２×Ｎアレイ導波路格子フィルタの温度と出力波長との関係を示す図である。使用する２×Ｎアレイ導波路格子フィルタ３０７の特性は、温度Ｔ１では、現用光ファイバ３０３に接続された２×Ｎアレイ導波路格子フィルタ３０７の出力ポートに波長多重光信号λ１、・・・λＮが出力されるが、温度Ｔ２では、予備光ファイバ３０４に接続された２×Ｎアレイ導波路格子フィルタ３０７のもう１つの出力ポートに波長多重光信号λ１、・・・λＮが出力される。
【００４５】
２×Ｎアレイ導波路格子フィルタ３０７の現用光ファイバ３０３への出力Ａを予備光ファイバ３０４への出力Ｂに切り替える例で説明しているが、対称性により、入力と出力とを入れ替えて用いることができる。すなわち、入力と出力を入れ替えることにより、２×Ｎアレイ導波路格子フィルタ３０７は、Ｎ×２アレイ導波路格子フィルタとして用いることができ、温度Ｔ１では、現用光ファイバに接続されたＮ×２アレイ導波路格子フィルタの入力ポートに波長多重光信号λ１、・・・λＮを入力することができ、温度Ｔ２では、予備光ファイバ３０４に接続された２×Ｎアレイ導波路格子フィルタ３０７のもう１つの入力ポートに波長多重光信号λ１、・・・λＮを入力することができる。
【００４６】
この特性を利用することにより、なんら光部品を付加することなく、温度制御のみで、簡易に光ファイバ伝送路の二重化を実現することが可能となる。また、図４のアルゴリズムと組み合わせることにより、制御信号のやりとりを行うことなく、光受信パワーをモニタするのみで、自動的に離れた場所にある装置と連動して、現用系から予備系へ切り替えることができる。
【００４７】
図６の（ａ）は、本発明の第２の実施形態にかかる波長多重光送受信装置およびそれを用いたネットワークを示す構成図である。図３における本発明の一実施形態との違いは、現用光ファイバおよび予備光ファイバがそれぞれ１本しかなく、双方向伝送となっている点である。双方向伝送をするため、使用波長数が２倍になっているが、基本的な考え方は図３と同様である。
【００４８】
波長多重光通信ネットワークにおける第１の装置である装置Ａ  ６０１と、第２の装置である装置Ｂ  ６０２とが、現用光ファイバ６０３と、予備光ファイバ６０４とにより接続されている。
【００４９】
装置Ａ  ６０１は、光信号を送受信するＮ個の光送受信器１  ６０６ないし光送受信器Ｎ  ６０７と、光送受信器１  ６０６ないし光送受信器Ｎ  ６０７の入出力ポートに光送受信器側のＮ個の入出力ポートを各々接続され、現用光ファイバ６０３および予備光ファイバ６０４に光ファイバ伝送路側の２個の入出力ポートを接続され、光信号を合分波する２×Ｎアレイ導波路格子フィルタ６０５と、２×Ｎアレイ導波路格子フィルタ６０５に接続され、２×Ｎアレイ導波路格子フィルタ６０５の温度を制御する温度制御回路６０９と、光送受信器１  ６０６ないし光送受信器Ｎ  ６０７と温度制御回路６０９とに接続され、光送受信器１  ６０６ないし光送受信器Ｎ  ６０７での光受信パワーをモニタする監視制御回路６０８とを含む。ただし、Ｎは２以上の自然数とする。
【００５０】
装置Ｂ  ６０２は、装置Ａ  ６０１と同様に、監視制御回路６１０と、Ｎ個の光送受信器１  ６１１ないし光送受信器Ｎ  ６１２と、２×Ｎアレイ導波路格子フィルタ６１３と、温度制御回路６１４とを含む。ただし、Ｎは２以上の自然数とする。
【００５１】
監視制御回路６０８により、光送受信器１  ６０６ないし光送受信器Ｎ  ６０７での光受信パワーをモニタし、すべての光送受信器１  ６０６ないし光送受信器Ｎ  ６０７の光受信パワーが所定値を下回ると、現用光ファイバ６０３の光ファイバ断と判断して、装置Ａ  ６０１内の２×Ｎアレイ導波路格子フィルタ６０５の温度をＴ１からＴ２へと変更して、予備光ファイバ６０４による通信を開始する。
【００５２】
このような構成により、１本の現用光ファイバと１本の予備光ファイバとにより接続される波長多重光送受信装置に対して、光部品を挿入することなく、経済的に伝送路の二重化を実現することが可能となる。
【００５３】
図６では、光送受信器が２心用である場合を記載するが、図６の２つの下図に示すように、光送受信器が１心用である場合にも本発明を適用することができる。図６の（ｂ）の別構成１では、１心用の光送受信器１  ６１７ないし光送受信器Ｎ  ６１８を用い、光送受信器１  ６１７ないし光送受信器Ｎ  ６１８と２×Ｎアレイ導波路格子フィルタ６０５との間にＷＤＭフィルタ６１５ないし６１６を各々用いる例である。
【００５４】
図６の（ｃ）の別構成２では、１心用の光送受信器１  ６１７ないし光送受信器Ｎ  ６１８を用い、波長配置を工夫し、例えば、Ｃ−ｂａｎｄとＬ−ｂａｎｄとを用い、アレイ導波路格子（ＡＷＧ）のＦＳＲ（Ｆｒｅｅ  Ｓｐｅｃｔｒａｌ  Ｒａｎｇｅ）を利用して、ある光送受信器の送受信波長を２×Ｎアレイ導波路格子フィルタ６０５の同一の入出力ポートに出力するよう設計する構成である。以下の本発明の実施形態では、光送受信器が２心用である場合を記載するが、同様に光送受信器が１心用である場合にも適用可能である。
【００５５】
図７は、本発明の第３の実施形態にかかる波長多重光送受信装置およびそれを用いたネットワークを示す構成図である。収容局装置は、収容局の停電等によるサービス中断等を回避するため、異なる場所にある収容局に各々配置する場合がある。図７は、上記場合の構成例であり、収容局装置ＡおよびＢは、各々異なる場所に配置され、各々が現用光ファイバおよび予備光ファイバを介して、ユーザ装置に接続される。
【００５６】
波長多重光通信ネットワークにおける第１の装置であるユーザ装置７０１と、第２の装置である収容局装置Ａ  ７０２とが、現用光ファイバ７０４により接続され、およびユーザ装置７０１と、第３の装置である収容局装置Ｂ  ７０３とが、予備光ファイバ７０５とにより接続されている。
【００５７】
ユーザ装置７０１は、光信号を送受信するＮ個の光送受信器１  ７０７ないし光送受信器Ｎ  ７０８と、光送受信器１  ７０７ないし光送受信器Ｎ  ７０８の入出力ポートに光送受信器側のＮ個の入出力ポートを各々接続され、現用光ファイバ７０４および予備光ファイバ７０５に光ファイバ伝送路側の２個の入出力ポートを接続され、光信号を合分波する２×Ｎアレイ導波路格子フィルタ７０６と、２×Ｎアレイ導波路格子フィルタ７０６に接続され、２×Ｎアレイ導波路格子フィルタ７０６の温度を制御する温度制御回路７１０と、光送受信器１  ７０７ないし光送受信器Ｎ  ７０８と温度制御回路７１０とに接続され、光送受信器１  ７０７ないし光送受信器Ｎ  ７０８での光受信パワーをモニタする監視制御回路７０９とを含む。ただし、Ｎは２以上の自然数とする。
【００５８】
収容局装置Ａ  ７０２は、光信号を送受信するＮ個の光送受信器１  ７１２ないし光送受信器Ｎ  ７１３と、光送受信器１  ７１２ないし光送受信器Ｎ  ７１３の入出力ポートに光送受信器側のＮ個の入出力ポートを各々接続され、現用光ファイバ７０４に光ファイバ伝送路側の２個の入出力ポートのうち１つを接続され、光信号を合分波する２×Ｎアレイ導波路格子フィルタ７１４と、２×Ｎアレイ導波路格子フィルタ７１４に接続され、２×Ｎアレイ導波路格子フィルタ７１４の温度をＴ１に保つ温度制御回路７１５と、光送受信器１  ７１２ないし光送受信器Ｎ  ７１３に接続され、光送受信器１  ７１２ないし光送受信器Ｎ  ７１３での光受信パワーをモニタする監視制御回路７１１とを含む。ただし、Ｎは２以上の自然数とする。
【００５９】
収容局装置Ｂ  ７０３は、光信号を送受信するＮ個の光送受信器１  ７１７ないし光送受信器Ｎ  ７１８と、光送受信器１  ７１７ないし光送受信器Ｎ  ７１８の入出力ポートに光送受信器側のＮ個の入出力ポートを各々接続され、予備光ファイバ７０５に光ファイバ伝送路側の２個の入出力ポートのうち１つを接続され、光信号を合分波する２×Ｎアレイ導波路格子フィルタ７１９と、２×Ｎアレイ導波路格子フィルタ７１９に接続され、２×Ｎアレイ導波路格子フィルタ７１９の温度をＴ２に保つ温度制御回路７２０と、光送受信器１  ７１７ないし光送受信器Ｎ  ７１８に接続され、光送受信器１  ７１７ないし光送受信器Ｎ  ７１８での光受信パワーをモニタする監視制御回路７１６とを含む。ただし、Ｎは２以上の自然数とする。
【００６０】
ユーザ装置７０１では、監視制御回路７０９により、光送受信器１  ７０７ないし光送受信器Ｎ  ７０８での光受信パワーをモニタし、すべての光送受信器１  ７０７ないし光送受信器Ｎ  ７０８の光受信パワーが所定値を下回ると、現用光ファイバ７０４の光ファイバ断と判断して、ユーザ装置７０１内の２×Ｎアレイ導波路格子フィルタ６０５の温度をＴ１からＴ２へと変更して、波長多重光信号を予備光ファイバ７０５へ送信する。
【００６１】
収容局装置Ａ  ７０２では、光送受信器１  ７１２ないし光送受信器Ｎ  ７１３での光受信パワーが所定値を下回るため、監視制御回路７１１により、現用光ファイバ７０４の光ファイバ断と判断して、光送受信器１  ７１２ないし光送受信器Ｎ  ７１３からの波長多重光信号の送信を停止する。
【００６２】
収容局装置Ｂ  ７０３では、光送受信器１  ７１７ないし光送受信器Ｎ  ７１８での光受信パワーが所定値を上回るため、監視制御回路７１６により、予備光ファイバ７０５に切り替わったと判断して、光送受信器１  ７１７ないし光送受信器Ｎ  ７１８からの波長多重光信号の送信を開始する。
【００６３】
このような手順により、離れた場所にある収容局装置ＡおよびＢを連動させて、自動的に光ファイバ伝送路切替を実現することができる。本発明の第３の実施形態は、現用光ファイバおよび予備光ファイバが各々１本の双方向伝送の場合について記載したが、図３における本発明の一実施形態のように現用光ファイバおよび予備光ファイバが各々２本の場合にも同様に適用できる。
【００６４】
図８は、本発明の第４の実施形態にかかる波長多重光送受信装置およびそれを用いたネットワークを示す構成図である。図３における本発明の一実施形態との違いは、装置Ａ  ３０１内の２×Ｎアレイ導波路格子フィルタ３０７および３０８と光送受信器１  ３０９ないし光送受信器Ｎ  ３１０とが、収容局装置Ａとユーザ装置というような離れた場所にあり、非対称のネットワークになっている点である。収容局装置Ｂは、図３における本発明の一実施形態の装置Ｂ  ３０２と同様であるが、収容局装置Ａは、すべての光送受信器が離れた場所にあるため、図３に示すような光受信パワーのモニタを行うことができず、光パワーモニタ用の回路を具備する必要がある。
【００６５】
波長多重光通信ネットワークにおける第１の装置である収容局装置Ａ  ８０１と、第２の装置である収容局装置Ｂ  ８０２とが、現用光ファイバ８０４および８０６と予備光ファイバ８０５および８０７により接続され、および収容局装置Ａ  ８０１の入出力ポートと、ユーザ装置８０３とが接続されている。
【００６６】
収容局装置Ａ  ８０１は、ユーザ装置８０３の入出力ポートに光送受信器側のＮ個の入出力ポートのうち１つを接続され、現用光ファイバ８０４および予備光ファイバ８０５に光ファイバ伝送路側の２個の入出力ポートを接続され、光信号を合波する２×Ｎアレイ導波路格子フィルタ８０８と、現用光ファイバ８０６および予備光ファイバ８０７に光ファイバ伝送路側の２個の入出力ポートを接続され、ユーザ装置８０３の入出力ポートに光送受信器側のＮ個の入出力ポートのうち１つを接続され、光信号を分波する２×Ｎアレイ導波路格子フィルタ８０９と、２×Ｎアレイ導波路格子フィルタ８０８に接続され、２×Ｎアレイ導波路格子フィルタ８０８の温度を制御する温度制御回路８１３と、２×Ｎアレイ導波路格子フィルタ８０９に接続され、２×Ｎアレイ導波路格子フィルタ８０９の温度を制御する温度制御回路８１４と、現用光ファイバ８０６に接続され、現用光ファイバ８０６上の波長多重光信号を分岐する光カプラ８１０と、光カプラ８１０に接続され、光カプラ８１０により分岐された波長多重光信号を受光する受光器８１１と、温度制御回路８１３および８１４と受光器８１１に接続され、現用光ファイバ８０６での光受信パワーをモニタする監視制御回路８１２とを含む。ただし、Ｎは２以上の自然数とする。
【００６７】
収容局装置Ｂ  ８０２は、光信号を送受信するＮ個の光送受信器１  ８１６ないし光送受信器Ｎ  ８１７と、光送受信器１  ８１６ないし光送受信器Ｎ  ８１７の入出力ポートに光送受信器側のＮ個の入出力ポートを各々接続され、現用光ファイバ８０６および予備光ファイバ８０７に光ファイバ伝送路側の２個の入出力ポートを接続され、光信号を合波する２×Ｎアレイ導波路格子フィルタ８１９と、現用光ファイバ８０４および予備光ファイバ８０５に光ファイバ伝送路側の２個の入出力ポートを接続され、光送受信器１  ８１６ないし光送受信器Ｎ  ８１７の入出力ポートに光送受信器側のＮ個の入出力ポートを各々接続され、光信号を分波する２×Ｎアレイ導波路格子フィルタ８１８と、２×Ｎアレイ導波路格子フィルタ８１８に接続され、２×Ｎアレイ導波路格子フィルタ８１８の温度を制御する温度制御回路８２０と、２×Ｎアレイ導波路格子フィルタ８１９に接続され、２×Ｎアレイ導波路格子フィルタ８１９の温度を制御する温度制御回路８２１と、光送受信器１  ８１６ないし光送受信器Ｎ  ８１７と温度制御回路８２０および８２１とに接続され、光送受信器１  ８１６ないし光送受信器Ｎ  ８１７での光受信パワーをモニタする監視制御回路８１５とを含む。ただし、Ｎは２以上の自然数とする。
【００６８】
ユーザ装置８０３は、収容局装置Ａ  ８０１の入出力ポートに接続され、光信号を送受信する光送受信器１  ８２１を含む。光送受信器Ｎ  ８２２は、収容局装置Ａ  ８０１の入出力ポートに接続され、光信号を送受信する。ただし、Ｎは２以上の自然数とする。
【００６９】
収容局装置Ａ  ８０１では、光カプラ８１０により、収容局装置Ｂ  ８０２から現用光ファイバ８０６を介して送信される波長多重光信号の一部を分岐し、受光器８１１により、分岐された波長多重光信号の一部を受光して、受光された波長多重光信号の光受信パワーを検出する。監視制御回路８１２により、検出した光受信パワーが所定値を下回ると、現用光ファイバ７０４の光ファイバ断と判断して、収容局装置Ａ  ８０１内の２×Ｎアレイ導波路格子フィルタ８０８および８０９の温度をＴ１からＴ２へと変更する。
【００７０】
収容局装置Ｂ  ８０２では、光送受信器１  ８１６ないし光送受信器Ｎ  ８１７での光受信パワーが所定値を下回るため、監視制御回路８１５により、現用光ファイバ８０４の光ファイバ断と判断して、収容局装置Ｂ  ８０２内の２×Ｎアレイ導波路格子フィルタ８１８および８１９の温度をＴ１からＴ２へと変更して、予備光ファイバ８０５および８０７による通信を開始する。
【００７１】
このような構成により、２本の現用光ファイバと２本の予備光ファイバとにより接続される波長多重光ネットワークに対して、光部品を挿入することなく、経済的に伝送路の二重化を実現することが可能となる。
【００７２】
このような構成および手順により、ＷＤＭアクセスネットワークにおいても、光ファイバ伝送路の二重化を実現することができる。
【００７３】
図９は、本発明の第５の実施形態にかかる波長多重光送受信装置およびそれを用いたネットワークを示す構成図である。図８における本発明の第４の実施形態との違いは、現用光ファイバおよび予備光ファイバがそれぞれ１本の双方向伝送となっている点である。双方向伝送をするため、使用波長数が２倍になっているが、基本的な考え方は図８と同様である。
【００７４】
波長多重光通信ネットワークにおける第１の装置である収容局装置Ａ  ９０１と、第２の装置である収容局装置Ｂ  ９０２とが、現用光ファイバ９０４および予備光ファイバ９０５により接続され、および収容局装置Ａ  ９０１の入出力ポートと、ユーザ装置９０３とが接続されている。
【００７５】
収容局装置Ａ  ９０１は、ユーザ装置９０３の入出力ポートに光送受信器側のＮ個の入出力ポートのうち１つを接続され、現用光ファイバ９０４および予備光ファイバ９０５に光ファイバ伝送路側の２個の入出力ポートを接続され、光信号を合分波する２×Ｎアレイ導波路格子フィルタ９０６と、２×Ｎアレイ導波路格子フィルタ９０６に接続され、２×Ｎアレイ導波路格子フィルタ９０６の温度を制御する温度制御回路９１０と、現用光ファイバ９０４に接続され、現用光ファイバ９０４上の波長多重光信号を分岐する光カプラ９０７と、光カプラ９０７に接続され、光カプラ９０７により分岐された波長多重光信号を受光する受光器９０８と、温度制御回路９１０と受光器９０８に接続され、現用光ファイバ９０４での光受信パワーをモニタする監視制御回路９０９とを含む。ただし、Ｎは２以上の自然数とする。
【００７６】
収容局装置Ｂ  ９０２は、光信号を送受信するＮ個の光送受信器１  ９１２ないし光送受信器Ｎ  ９１３と、光送受信器１  ９１２ないし光送受信器Ｎ  ９１３の入出力ポートに光送受信器側のＮ個の入出力ポートを各々接続され、現用光ファイバ９０４および予備光ファイバ９０５に光ファイバ伝送路側の２個の入出力ポートを接続され、光信号を合分波する２×Ｎアレイ導波路格子フィルタ９１４と、２×Ｎアレイ導波路格子フィルタ９１４に接続され、２×Ｎアレイ導波路格子フィルタ９１４の温度を制御する温度制御回路９１５と、光送受信器１  ９１２ないし光送受信器Ｎ  ９１３と温度制御回路９１５とに接続され、光送受信器１  ９１２ないし光送受信器Ｎ  ９１３での光受信パワーをモニタする監視制御回路９１１とを含む。ただし、Ｎは２以上の自然数とする。
【００７７】
ユーザ装置９０３は、収容局装置Ａ  ９０１の入出力ポートに接続され、光信号を送受信する光送受信器１  ９１６を含む。光送受信器Ｎ  ９１７は、収容局装置Ａ  ９０１の入出力ポートに接続され、光信号を送受信する。ただし、Ｎは２以上の自然数とする。
【００７８】
収容局装置Ａ  ９０１では、光カプラ９０７により、収容局装置Ｂ  ９０２から現用光ファイバ９０４を介して送信される波長多重光信号の一部を分岐し、受光器９０８により、分岐された波長多重光信号の一部を受光して、受光された波長多重光信号の光受信パワーを検出する。監視制御回路９０９により、検出した光受信パワーが所定値を下回ると、現用光ファイバ９０４の光ファイバ断と判断して、収容局装置Ａ  ９０１内の２×Ｎアレイ導波路格子フィルタ９０６の温度をＴ１からＴ２へと変更する。
【００７９】
収容局装置Ｂ  ９０２では、光送受信器１  ９１２ないし光送受信器Ｎ  ９１３での光受信パワーが所定値を下回るため、監視制御回路９１１により、現用光ファイバ９０４の光ファイバ断と判断して、収容局装置Ｂ  ９０２内の２×Ｎアレイ導波路格子フィルタ９１４の温度をＴ１からＴ２へと変更して、予備光ファイバ９０５による通信を開始する。
【００８０】
このような構成により、１本の現用光ファイバと１本の予備光ファイバとにより接続される波長多重光ネットワークに対して、光部品を挿入することなく、経済的に伝送路の二重化を実現することが可能となる。
【００８１】
このような構成および手順により、現用光ファイバおよび予備光ファイバがそれぞれ１本の双方向伝送の場合のＷＤＭアクセスネットワークにおいても、光ファイバ伝送路の二重化を実現することができる。
【００８２】
図８における本発明の第４の実施形態および図９における本発明の第５の実施形態は、図７に示す局分散の構成への適用も容易に可能である。
【００８３】
本実施形態によれば、光部品を挿入することなく、経済的に伝送路の二重化を実現するための、波長多重光送受信装置およびそれを用いたネットワークを提供することが可能となる。
【産業上の利用可能性】
【００８４】
本発明により、波長多重光通信において、経済的に伝送路の二重化を実現することが可能である。
【図面の簡単な説明】
【００８５】
【図１】従来の装置および光ファイバ伝送路の二重化の例を示す図である。
【図２】従来の光ファイバ伝送路のみの二重化の例を示す図である。
【図３】本発明の一実施形態にかかる波長多重光送受信装置およびそれを用いたネットワークを示す構成図である。
【図４】本発明の一実施形態にかかる現用光ファイバから予備光ファイバへの切替方法を示す図である。
【図５】本発明の一実施形態にかかる２×Ｎアレイ導波路格子フィルタの温度と出力波長との関係を示す図である。
【図６】本発明の第２の実施形態にかかる波長多重光送受信装置およびそれを用いたネットワークを示す構成図である。
【図７】本発明の第３の実施形態にかかる波長多重光送受信装置およびそれを用いたネットワークを示す構成図である。
【図８】本発明の第４の実施形態にかかる波長多重光送受信装置およびそれを用いたネットワークを示す構成図である。
【図９】本発明の第５の実施形態にかかる波長多重光送受信装置およびそれを用いたネットワークを示す構成図である。
【符号の説明】
【００８６】
３０１  装置Ａ
３０２  装置Ｂ
３０３、３０５  現用光ファイバ
３０４、３０６  予備光ファイバ
３０７、３０８、３１７、３１８  ２×Ｎアレイ導波路格子フィルタ
３０９、３１５  光送受信器１
３１０、３１６  光送受信器Ｎ
３１１、３１４  監視制御回路
３１２、３１３、３１９、３２０  温度制御回路
【図１】
0004634937.tif 000002
【図２】
0004634937.tif 000003
【図３】
0004634937.tif 000004
【図４】
0004634937.tif 000005
【図５】
0004634937.tif 000006
【図６】
0004634937.tif 000007
【図７】
0004634937.tif 000008
【図８】
0004634937.tif 000009
【図９】
0004634937.tif 000010